(57)【要約】【解決手段】  今回公表する発明はラケットの持ち手部分と接触部分の段差から成るものである。この発明により、正確なグリップ位置（ＣＨＰと呼ぶ）が得られる。この段差をしっかりと握る事により、より良いスイング・角度調整・様々な動きへの適応及びパワフルなスイングを得ることができる。このＣＨＰによりもたらされる正確なグリップ位置で競技すれば、指への負担を減らすことができ、指の変形を減らすことができるであろう。さらに、手首や指にかかる負担が軽減するため、競技中により長い時間パワフルなスイング及びパフォーマンスを持続できる。さらに。ＣＨＰのコンセプトは、段差の違いをつける‘ｓｐｌｉｔ−ｌｅｖｅｌ  ｓｔｅｐ’同様のＣＨＰの役割を果たし（図Ｂ、Ｄ＆ＧのＸ参照)、高さのある部分や下部が長く延びた持ち手部分をつけることにより（図Ｃ、Ｄ、E、Ｆ＆ＧのＹ＆Ｚ参照）段差の違いをつけることなく同じ様な効果（段差の違いをつけるよりも効果は多少薄れるが）を得ることができる。（注）図りは商品発表時に使用されます。【選択図】      図Ａ
2007528740.tif 000002
【特許請求の範囲】
【請求項１】
持ち手と一体化し平面化された部分が、人間工学上優れた力を発揮し、これらの場所を設定する事により、しっかりとしたグリップを得る事が出来、どの指も十分な力を発揮できる部分に特別に作られた指を置くための部分（これを‘クリティカルホールディングポイント，略してＣ、Ｈ、Ｐと呼ぶ。）が設定されている異なる二つの段差によって構成されている、
卓球ラケット（ペンホルダータイプ）。
【請求項２】
持ち手の細くなったり厚みを持ったりしてカーブした部分（その他の型全て）から持ち手部分へ続く平面部分は、全ての指や、中指、薬指、小指にとってのクリティカルホールディングポイントとなり、ラケットの背面を支えるという独特なグリップをもたらす人間工学上優れた構成である、
請求項１に記載の卓球ラケット。
【請求項３】
平面部分の底側のいくつかの形状の１箇所及び数箇所の高くなった部分はクリティカルホールディングポイントになっており、ラケット上で中指、薬指、小指を安定させるという人間工学上優れた構造である独特なグリップを備えた、
請求項１に記載の卓球ラケット
【請求項４】
持ち手部分と平面部分の接合部分は、平面または４５度の傾斜または他のいくつかの傾斜またはクリティカルホールディングポイントを備えた傾斜または全ての指や何本かの指のクリティカルホールディングポイントと独特のグリップ方向との一部として形成される、
請求項１に記載の卓球ラケット。
【請求項５】
細くなったり厚みを持ったりしてカーブした部分がない（その他の型全て)持ち手部分へ続く平面部分は、全ての指や、中指、薬指、小指にとってのクリティカルホールデイングボイントと底面からの独特のグリップ方向とになっており、全ての指や、中指、薬指、小指でラケットをしっかりと前に押し出すことができる、
請求項１に記載の卓球ラケット。
【請求項６】
卓球ラケット(ペンホルダータイプ)の持ち手と一体化し平面化された部分は同じ高さの段に構成されており、持ち手の細くなったり厚みを持ったりしてカーブした部分（その他の型全て）から持ち手部分へ続く平面部分は、全ての指や、中指、薬指、小指にとってのクリティカルホールディングポイントとなっており、ラケットの背面を支えるという独特なグリップをもたらす人間工学上優れた構成である、
卓球ラケット（ペンホルダータイプ）。
【請求項７】
卓球ラケット(ペン持ちタイプ)の持ち手と一体化し平面化された部分は同じ高さの段により構成されており、１箇所及び数箇所の高くなった部分や下部の平面部分からクリティカルホールディングボイン卜となっており、独特なグリップを形成し、ラケット上で中指、薬指、小指を安定させるという人間工学上優れた構造である、
卓球ラケット（ペンホルダータイプ）。
【請求項８】
持ち手と一体化し平面化された部分は同じ高さの段により構成されており、持ち手の細くなったり厚みを持ったりしてカーブした部分がない場合（その他の型全て）持ち手部分へ続く平面部分は、全ての指や、中指、薬指、小指にとってのクリティカルホーノレディングボイントとなっており、全ての指や、中指、薬指、小指でラケットをしっかりと前に押し出すことができる、
卓球ラケット（ペンホルダータイプ）。
【請求項９】
持ち手と一体化し平面化された部分は同じ高さの段や違う段により構成されており、クリティカルホールディングポイントは二つの違う段差により構成された部分、下部を長くとった持ち手部分、１箇所及び数箇所の高くなった部分など全ての構成部分から成るために、ラケット上で全ての指で握った時や何本かの指で握った時に独特なグリップを形成することができ、人間工学上優れた力を発揮する、
卓球ラケット（ペンホルダータイプ）。
【発明の詳細な説明】
【技術分野】
【０００１】
本発明は、ペンホルダータイプの卓球ラケットに関する。
【背景技術】
【０００２】
既存のペン持ちタイプの卓球ラケットは、図Ａで表されている通りである。（以下の資料は全てベン持ちタイプの卓球ラケットについてである。）これらのラケットは選手がより力強くよりよい動きをしようとした時に、しっかりとしたグリップと柔軟な動きが出来ず、選手の手首や指にとって人間工学上不十分な形であるといえる。
【発明の開示】
【発明が解決しようとする課題】
【０００３】
従来の卓球ラケット（ペンホルダータイプ）では、パワーを弱めるだけでなく、競技を続けることによって、指の変形が起こる可能性もある。（例えば、中指が曲がって、わずかに変形が見られることがある。）これらは、不適切なラケットの持ち方により起こるのである。
【課題を解決するための手段】
【０００４】
請求項１に係る卓球ラケットは、持ち手と一体化し平面化された部分が、人間工学上優れた力を発揮し、これらの場所を設定する事により、しっかりとしたグリップを得る事が出来、どの指も十分な力を発揮できる部分に特別に作られた指を置くための部分（これを‘クリティカルホールディングポイント，略してＣ、Ｈ、Ｐと呼ぶ。）が設定されている異なる二つの段差によって構成されている。
【０００５】
請求項２に係る卓球ラケット（ペンホルダータイプ）は、請求項１に記載の卓球ラケットであって、持ち手の細くなったり厚みを持ったりしてカーブした部分（その他の型全て）から持ち手部分へ続く平面部分は、全ての指や、中指、薬指、小指にとってのクリティカルホールディングポイントとなり、ラケットの背面を支えるという独特なグリップをもたらす人間工学上優れた構成である。
【０００６】
請求項３に係る卓球ラケットは、請求項１に記載の卓球ラケットであって、平面部分の底側のいくつかの形状の１箇所及び数箇所の高くなった部分はクリティカルホールディングポイントになっており、ラケット上で中指、薬指、小指を安定させるという人間工学上優れた構造である独特なグリップを備えている。
【０００７】
請求項４に係る卓球ラケットは、請求項１に記載の卓球ラケットであって、持ち手部分と平面部分の接合部分は、平面または４５度の傾斜または他のいくつかの傾斜またはクリティカルホールディングポイントを備えた傾斜または全ての指や何本かの指のクリティカルホールディングポイントと独特のグリップ方向との一部として形成される。
【０００８】
請求項５に係る卓球ラケットは、請求項１に記載の卓球ラケットであって、細くなったり厚みを持ったりしてカーブした部分がない（その他の型全て)持ち手部分へ続く平面部分は、全ての指や、中指、薬指、小指にとってのクリティカルホールデイングボイントと底面からの独特のグリップ方向とになっており、全ての指や、中指、薬指、小指でラケットをしっかりと前に押し出すことができる。
【０００９】
請求項６に係る卓球ラケット（ペンホルダータイプ）は、請求項１に記載の卓球ラケットであって、卓球ラケット(ペンホルダータイプ)の持ち手と一体化し平面化された部分は同じ高さの段に構成されており、持ち手の細くなったり厚みを持ったりしてカーブした部分（その他の型全て）から持ち手部分へ続く平面部分は、全ての指や、中指、薬指、小指にとってのクリティカルホールディングポイントとなっており、ラケットの背面を支えるという独特なグリップをもたらす人間工学上優れた構成である。
【００１０】
請求項７に係る卓球ラケット（ペンホルダータイプ）は、請求項１に記載の卓球ラケットであって、卓球ラケット(ペン持ちタイプ)の持ち手と一体化し平面化された部分は同じ高さの段により構成されており、１箇所及び数箇所の高くなった部分や下部の平面部分からクリティカルホールディングボイン卜となっており、独特なグリップを形成し、ラケット上で中指、薬指、小指を安定させるという人間工学上優れた構造である。
【００１１】
請求項８に係る卓球ラケット（ペンホルダータイプ）は、請求項１に記載の卓球ラケットであって、持ち手と一体化し平面化された部分は同じ高さの段により構成されており、持ち手の細くなったり厚みを持ったりしてカーブした部分がない場合（その他の型全て）持ち手部分へ続く平面部分は、全ての指や、中指、薬指、小指にとってのクリティカルホーノレディングボイントとなっており、全ての指や、中指、薬指、小指でラケットをしっかりと前に押し出すことができる。
【００１２】
請求項９に係る卓球ラケット（ペンホルダータイプ）は、請求項１に記載の卓球ラケットであって、持ち手と一体化し平面化された部分は同じ高さの段や違う段により構成されており、クリティカルホールディングポイントは二つの違う段差により構成された部分、下部を長くとった持ち手部分、１箇所及び数箇所の高くなった部分など全ての構成部分から成るために、ラケット上で全ての指で握った時や何本かの指で握った時に独特なグリップを形成することができ、人間工学上優れた力を発揮する。
【発明を実施するための最良の形態】
【００１３】
ラケットの持ち手と接触部の問にある段差により構成される（ここで言及しているラケットの接触面は、ラケット上のゴムが合わさっているところ)。これは、持ち手部分の片面と接触部分は他の箇所よりも高くなっていることを示す（図Ｂ参照）。これは、両面が同じく平面で作られた既存の古いタイプのデザインを改良したものである。
【００１４】
これは、（図Ｂの「Ｘ」参照）親指や人差し指、そして全ての指にとっての‘クリティカルホールディングポイント’（以下文中では‘Ｃ．Ｈ．Ｐ’と略す)の構想及び発明であるといえよう。この発明において、全ての指でしっかりと持ち手を掴むことができ、よりよいスイング・角度調整・パワー及び操作性の向上が得られるのである。これらのＣ．Ｈ．Ｐからは正しいグリップ位置を得られるので、指の変形が起こるのを軽減することができる。
【００１５】
さらに、Ｃ．Ｈ．Ｐの発明により、手首と指にかかる圧力も軽減される。これにより、選手がより自然に長時間パワーを保ちながら競技することが可能となる。新たな‘ｓｐｌｉｔ−ｌｅｖｅｌ  ｓｔｅｐ’の発明を公表するにあたり、Ｃ．Ｈ．Ｐの概念は既存の‘ｓｐｌｉｔ−ｌｅｖｅｌ  ｓｔｅｐ’の様に、前面を高くすることや下部を長くとった持ち手にすることなく（図Ｃ、Ｄ、Ｅ、Ｆ＆Ｇの「Ｘ＆Ｙ」部参照)、Ｃ．Ｈ．Ｐを達成することが出来るのである。（図Ｂ、Ｄ&Ｇの「Ｘ」部参照）これらの前面を高くすることや下部を長くとった持ち手は、同じく特許申請されています。そして、ここにこの新しいデザインと発明を公表します。
【図面の簡単な説明】
【００１６】
【図Ａ】既存の一般的な真四角及び四角形ラケット。
【図Ｂ】ＣＨＰを用いた‘ｓｐｌｉｔ−ｌｅｖｅｌ  ｓｔｅｐ  ｏｆ  ｄｅｓｉｇｎ’。
【図Ｃ】ＣＨＰを用いた高さのある部分を付けたもの。
【図Ｄ】ＣＨＰを用いた‘ｓｐｌｉｔ−ｌｅｖｅｌ  ｓｔｅｐ  ｏｆ  ｄｅｓｉｇｎ’及び下部を長めに取った持ち手のもの。
【図Ｅ】ＣＨＰと同様の働きをもたらす、下部の持ち手を長く取ったデザインの一例。
【図Ｆ】ＣＨＰと同様の働きをもたらす、下部の持ち手を長く取ったデザインの一例。
【図Ｇ】ＣＨＰを用いた‘ｓｐｌｉｔ−ｌｅｖｅｌ  ｓｔｅｐ  ｏｆ  ｄｅｓｉｇｎ’及び下部を長めに取った持ち手のもの。
【符号の説明】
【００１７】
Ｕ  接触表面
Ｖ  持ち手部分
Ｗ  異なる２つの段差
Ｘ  カーブ・段差・継ぎ目
Ｙ  高くなった部分
Ｚ  長く取った下部の持ち手
2007528740.tif 000003
2007528740.tif 000004
2007528740.tif 000005
2007528740.tif 000006
2007528740.tif 000007
【国際調査報告】
2007528740.tif 000008
2007528740.tif 000009